Podtech/llm-jp-corpus-v4-ja_patent huggingface dataset:
(57)【要約】【課題】型崩れのしにくい目ひさし付きキャップ（帽子）を簡単に作成でき、また、きわめて安価で提供できるようにすること。【解決手段】目ひさし付き紙製キャップであって、腰部２ａと天井部２ｂは目ひさし１の反対側後部で円弧状に開放され、腰部２ａは目ひさしの反対側後部で切断され、一方の腰部２ａにはその端縁から延長して伸びる帯３を、他方の腰部２ａの端部にハ字状の切り孔２ｃを設け、前記帯３を前記切り孔２ｃに挿通することにより腰部周りの大きさを調整するとともに、前記天井部２ｂ後部の円弧状の開放端に、その円弧に沿って内側に折り曲げてクラウンの形状を保持する形状保持片５および前記目ひさし１の付け根から前記形状保持片５の付け根に伸びる複数の隙間６を設け、また、前記円弧状により形成される天井後部の円形孔の一部を覆う覆い片４を設け、これらを１枚の厚紙で形成する。【選択図】    図１
2008231608.tif 000002
【特許請求の範囲】
【請求項１】
目ひさしと、腰部および天井部からなるクラウンを一枚厚紙の型切りにより形成してなる目ひさし付き紙製キャップであって、腰部と天井部は目ひさしの反対側後部で円弧状に開放され、腰部は目ひさしの反対側後部で切断され、一方の腰部にはその端縁から延長して伸びる帯を、他方の端部にハ字状の切り孔を設け、前記帯を前記切り孔に挿通することにより腰部周りの大きさを調整するとともに、前記天井部後部の円弧状の開放端に、その円弧に沿って内側に折り曲げてクラウンの形状を保持する形状保持片および前記ひさしの付け根から前記形状保持片の付け根に伸びる複数の隙間を設け、また、前記円弧状により形成される天井後部の円形孔の一部を覆う覆い片を設けたことを特徴とする目ひさし付き紙製キャップ。
【発明の詳細な説明】
【技術分野】
【０００１】
本発明は、一枚の硬質紙を型切りして形成した目ひさし付きキャップ（帽子）に関するものである。
【背景技術】
【０００２】
屋外スポーツなどを観戦する場合、直射日光を避けるために頭上を覆う帽子を被ることが行われている。この場合の帽子はさまざまであるがその一つとして、クラウン（帽子の山の部分）とそのクラウンのすそから前の方へ差し出た目ひさしを具えた、例えば野球用などの帽子（キャップ）を用いる場合が多い。このようなキャップのクラウンは、通常、三角状に裁断した職布や不職布を繋ぎ合わせて形成されている。しかし、斯かるキャップは、その製作に手間がかかり、また、高価であり、手軽に得ることができないといった問題があった。
【発明の開示】
【発明が解決しようとする課題】
【０００３】
本発明が解決しようとする課題は、型崩れのしにくい目ひさし付きキャップを簡単に作成でき、また、きわめて安価で提供できるようにし、斯かる問題を解消する点にある。
【課題を解決するための手段】
【０００４】
本発明は、目ひさしと、腰部および天井部からなるクラウンを一枚厚紙の型切りにより形成してなる目ひさし付き紙製キャップであって、腰部と天井部は目ひさしの反対側後部で円弧状に開放され、腰部は目ひさしの反対側後部で切断され、一方の腰部にはその端縁から延長して伸びる帯を、他方の端部にハ字状の切り孔を設け、前記帯を前記切り孔に挿通することにより腰部周りの大きさを調整するとともに、前記天井部後部の円弧状の開放端に、その円弧に沿って内側に折り曲げてクラウンの形状を保持する形状保持片および前記ひさしの付け根から前記形状保持片の付け根に伸びる複数の隙間を設け、また、前記円弧状により形成される天井後部の円形孔の一部を覆う覆い片を設けたことを特徴とする。
【発明の効果】
【０００５】
本発明では、クラウン部および目ひさし部を一枚の厚紙を型により切り抜いて目ひさし付きキャップの原形を形成するので大量のキャップを簡単かつきわめて安価に作成することができる。また、キャップの組立てに際し、目ひさしの付け根から前記形状保持片の付け根に伸びる複数の隙間により簡単にクラウンが形成でき、かつ形状保持片を内側へ折り曲げることによりクラウンの形状が強固となる。さらには、その隙間および天井後部の円形貫通孔により通風性のよいクラウン面が得られる。
【発明を実施するための最良の形態】
【０００６】
型崩れのしにくい目ひさし付きキャップを簡単に作成でき、また、きわめて安価で提供できるようにする目的を、目ひさし付きキャップを一枚の厚紙を型抜きし、それを折り曲げて形成することにより実現した。
【実施例】
【０００７】
以下、本発明に係る実施例について図を参照して説明する。図１は本発明の実施例に係る目ひさし付きキャップの斜視図、図２は、図１に示す目ひさし付きキャップの展開図である。
【０００８】
図１および図２において、１は目ひさし、２はクラウン（キャップの山部）、３は帯、４は覆い片、５は形状保持片、６は隙間である。クラウン２は、腰２ａと天井２ｂとからなり、目ひさし１と対向する後部の天井２ｂは後部に向けて円弧状に開放されており、腰２ａは天井２ｂよりも後方に導出されて二つに切断さている。一方の腰２ａにはその端縁から延長して伸びる帯３を、他方腰２ａの端部にはハ字状（図示では逆ハ）の切り孔２ｃが形成され、その縁から円弧状に開放された空間内に延びる覆い片４が形成されている。また、天井２ｂの円弧状開放端には、その円弧に沿って円弧状に開放された空間内に延びる形状保持片５が形成されている。そして、クラウン２には目ひさし１の付け根から形状保持片５の付け根に伸びる複数の隙間６（図２では切り筋６）が設けられている。なお、図２に示す２点鎖線Ｌ１は谷折り筋、Ｌ２およびＬ３は山折り筋である。
【０００９】
本実施例では、厚紙たとえばＤＶ４５０ｇ／ｍ２の板紙一枚を、図２の実線で示すように、目ひさし１、クラウン２、帯３、覆い片４および形状保持片５を連接した状態で型切りし、切り筋６、谷折り筋Ｌ１、Ｌ２およびＬ３は山折り筋Ｌ２、Ｌ３を形成して、平坦な目ひさし付きキャップの原形を作成する。図１に示すように目ひさし付きキャップを完成させるときは、両側の腰２ａを天井２ｂが上方へ盛り上がるように、形状保持片５を内側へ折り曲げながら回動する。この回動により切り筋６が離れ隙間を形成しながらクラウン２が完成される。ついで一方の腰２ａに連接する帯３を他方の腰２ａのハ字状の切り孔２ｃに挿通して完成させる。
【図面の簡単な説明】
【００１０】
【図１】本発明の実施例に係る目ひさし付きキャップの斜視図である。
【図２】図１に示す目ひさし付きキャップの展開図である。
【符号の説明】
【００１１】
１  目ひさし
２  クラウン（帽子の山部）
２ａ  腰
２ｂ  天井
３  帯
４  覆い片
５  形状保持片
６  隙間
【図１】
2008231608.tif 000003
【図２】
2008231608.tif 000004
(57)【要約】【課題】走行条件によらず、ＰＭの燃焼処理を十分に行うことができる内燃機関の排気ガス後処理装置を提供する。【解決手段】本発明の実施形態に係る内燃機関の排気ガス後処理装置１００には、コンバータ１０の上流側端部と上流側接続管２０との間に接続管４０が設けられ、この接続管４０に加熱手段５０が設けられている。加熱手段５０は、渦巻き状に巻かれた導電性のコイル５１と、コイル５１に電流を流すための電源５２とを備えている。【選択図】図２
2008255821.tif 000002
【特許請求の範囲】
【請求項１】
酸化触媒と、該酸化触媒の下流側に設けられるＤＰＦとを備え、内燃機関から排出された排気ガスを、前記酸化触媒及び前記ＤＰＦを通過させて浄化処理する内燃機関の排気ガス後処理装置であって、
前記酸化触媒の上流側に、前記排気ガスを加熱するための加熱手段を設けたことを特徴とする内燃機関の排気ガス後処理装置。
【発明の詳細な説明】
【技術分野】
【０００１】
本発明は、内燃機関の排気ガス後処理装置に関する。
【背景技術】
【０００２】
内燃機関の排気ガス後処理装置としては、例えば、下記特許文献１に示すものや、図３に示すものがある。図３に示す内燃機関の排気ガス処理装置３００は、酸化触媒１と、この酸化触媒１の下流側に設けられるＤＰＦ（Diesel Particulate Filter）２とを備え、内燃機関から排出された排気ガスを、酸化触媒１及びＤＰＦ２を通過させて浄化処理するものである。これら酸化触媒１及びＤＰＦ２は、コンバータ１０に収納されており、コンバータ１０の上流側には、上流側接続管２０がフランジ１３及びボルト１４等を介して接続されている。上流側接続管２０には、その上流側端部から排気ガス導入管２１が挿入されている。一方、コンバータ１０の下流側には、下流側接続管３０が接続されており、さらに下流側接続管３０には、その下流側端部から排気ガス導出管３１が挿入されている。
【０００３】
ところで、かかる内燃燃機関の排気ガス後処理装置にあっては、排気ガス中に含まれる微粒子状物質（ＰＭ）がＤＰＦに捕集されるようになっており、外部からエネルギー供給を必要としないエンジンコントロールのみによって、ＤＰＦに捕集されたＰＭを燃焼処理することとしている。具体的には、ポスト噴射によって排気ガスに霧状燃料（ＨＣ）を供給し、これらをＤＰＦの上流側に配置した酸化触媒上で反応させ、その反応熱によってＤＰＦに捕集されたＰＭを燃焼処理している。
【特許文献１】特開２００７−２６９７号公報
【発明の開示】
【発明が解決しようとする課題】
【０００４】
しかしながら、従来の技術の如く、エンジンコントロールのみによって、ＤＰＦに捕集されたＰＭを燃焼処理する場合には、次のような問題が生じてしまう。すなわち、エンジンコントロールのみでは、走行条件によっては、排気ガスの温度が十分に上昇せず、排気ガスの熱のみでは酸化触媒が活性温度に達しないことがある。このような場合には、酸化触媒が活性化されず、ＰＭの燃焼処理が不十分となってしまう。その結果、ＤＰＦがＰＭ過捕集状態となって走行機能が著しく低下したり、内燃機関の排気ガス後処理装置の破損を招くこともある。
【０００５】
本発明は、上記問題に鑑みてなされたものであり、走行条件によらず、ＰＭの燃焼処理を十分に行うことができる内燃機関の排気ガス後処理装置を提供することを目的とする。
【課題を解決するための手段】
【０００６】
上記課題を解決するために、本発明は、酸化触媒と、該酸化触媒の下流側に設けられるＤＰＦとを備え、内燃機関から排出された排気ガスを、前記酸化触媒及び前記ＤＰＦを通過させて浄化処理する内燃機関の排気ガス後処理装置であって、前記酸化触媒の上流側に、前記排気ガスを加熱するための加熱手段を設けたことを特徴とする。
【発明の効果】
【０００７】
本発明に係る内燃機関の排気ガス後処理装置によれば、走行条件によらず、ＰＭの燃焼処理を十分に行うことができる。
【発明を実施するための最良の形態】
【０００８】
以下、図１及び図２を参照しながら、本発明の実施形態について説明する。  
図１は本発明の実施形態に係る内燃機関の排気ガス後処理装置を示す図、図２は図１のＶ−Ｖ線矢視図である。なお、各図において、図３と同一の箇所には同一の符号を付しており、以下、本願発明の主要部（加熱手段５０）を中心に説明する。
【０００９】
図１及び図２に示すように、本発明の実施形態に係る内燃機関の排気ガス後処理装置１００には、コンバータ１０の上流側端部と上流側接続管２０との間に接続管４０が設けられ、この接続管４０に加熱手段５０が設けられている。
【００１０】
接続管４０は、コンバータ１０の上流側端部と上流側接続管２０とを接続し、具体的には、接続管４０の下流側端部とコンバータ１０の上流側端部とがフランジ１３及びボルト１４等を介して接続されており、他方、接続管４０の上流側端部と上流側接続管２０の下流側端部とがフランジ３及びボルト４等を介して接続されている。
【００１１】
加熱手段５０は、渦巻き状に巻かれた導電性のコイル５１と、コイル５１に電流を流すための電源５２とを備え（図２参照）、接続管４０内を流れる排気ガスを加熱するとともに、コンバータ１０に収納された酸化触媒１を加熱するヒータである。但し、本発明は、かかる実施形態に限定されるものではなく、例えば、コイルの形状は、図２に示すような渦巻型の形状のみに限らず、Ｍ字型、放射型、プレート型等その他の形状を含むものとする。また、本発明において、電源５２は、直流電源、交流電源を問わない。
【００１２】
以上の通り、酸化触媒１の上流側に、接続管４０を介して加熱手段５０を設けたことにより、接続管４０内を流れる排気ガス、及びコンバータ１０に収納された酸化触媒１をともに加熱することが可能となる。これにより、走行条件によらず、排気ガスの温度を十分に上昇させて、酸化触媒１を活性温度に保持することが可能となり、その結果、前述したＰＭの燃焼処理を十分に行うことができるようになる。なお、走行条件に応じて、加熱手段５０を自動制御することとしてもよい。かかる場合には、排気ガス及び酸化触媒１の温度変化に応じて、その温度を適時に適切な温度に調節することが可能となるので、無駄な加熱が省略されることとなり、その結果、省エネルギー化を図りつつ、ＰＭの燃焼処理を十分に行うことができるようになる。
【図面の簡単な説明】
【００１３】
【図１】本発明の実施形態に係る内燃機関の排気ガス後処理装置を示す図である。
【図２】図１のＶ−Ｖ線矢視図である。
【図３】従来技術に係る内燃機関の排気ガス処理装置を示す図である。
【符号の説明】
【００１４】
４０  接続管
５０  加熱手段
５１  コイル
５２  電源
【図３】
2008255821.tif 000003
【図１】
2008255821.tif 000004
【図２】
2008255821.tif 000005
(57)【要約】【課題】ワキの下の汗を瞬時に吸収し、さらにワキの下に汗をかきにくくする汗吸収材付きワキ用冷却シートを提供する。【解決手段】伸縮性のある不織布からなるシートの中央に伸縮自在の凹部を設け、凹部を除いて冷却剤を塗布し、凹部に汗の吸収材を設け、ワキの下の汗腺密集部に吸収材があたるように貼り付けることを特徴とする汗吸収材付きワキ用冷却シート。【選択図】図１
2008255543.tif 000002
【特許請求の範囲】
【請求項１】
伸縮性のある不織布からなるシートの中央に伸縮自在の凹部を設け、凹部を除いて冷却剤を塗布し、凹部に汗の吸収材を設け、ワキの下の汗腺密集部に吸収材があたるように貼り付けることを特徴とする汗吸収材付きワキ用冷却シート。
【発明の詳細な説明】
【技術分野】
【０００１】  本発明は、ワキの下の汗を瞬時に吸収し、さらにワキの下に汗をかきにくくする汗吸収材付きワキ用冷却シートに関するものである。
【背景技術】
【０００２】  従来、洋服のワキの下部分につける汗取りシートがあった（特許文献１参照）。また、発熱のときに額にはる熱を冷ます冷却ゲルシートがあった（特許文献２参照）。
【特許文献１】特開２００７−０６３７１７号公報
【特許文献２】特開２００６−０９５２００号公報
【発明の開示】
【発明が解決しようとする課題】
【０００３】  それには、次のような問題があった。
（イ）洋服のワキ部に汗取りシートを粘着テープでつけるので、衣類の布地の種類によっては傷めたり、しわになった。
（ロ）汗取りシートをつけた洋服とワキの下が密着していない場合、ワキの下の汗は汗取りシートに吸収されず濡れたままであり不快であった。
（ハ）熱冷まし用冷却ゲルシートをワキの下に貼ると単純な長方形、または方形状であるためワキの下からはがれやすく、腕の動きに対応できない。
（ニ）汗をかいたとき、濡れた肌には熱冷まし用冷却ゲルシートの粘着剤では張り付きが悪くなった。
本発明は、これらの問題点を解決するためになされたものである。
【課題を解決するための手段】
【０００４】  伸縮性のある不織布からなるシートの中央に伸縮自在の凹部を設け、凹部を除いて冷却剤を塗布し、凹部に汗の吸収材を設け、ワキの下の汗腺密集部に吸収材があたるように貼り付ける。以上を特徴とする汗吸収材付きワキ用冷却シートである。
【発明の効果】
【０００５】  ワキの下に直接貼り付けるため、かいた汗は瞬時に吸収され不快感がない。また、冷却ゲルシートで冷やされることにより、汗そのものをかきにくい。さらに本発明は中央部の伸縮自在の凹部により腕の様々な動きに対応し肌からはがれることがない。
【発明を実施するための最良の形態】
【０００６】  以下、本発明の実施形態について説明する。
（イ）伸縮性のある不織布からなる縦長シート（１）の上方は両側横方向にやや広くした山をもつ上部（１ａ）とし、シートの中間は上部（１ａ）よりも両側横方向に小さくした山をもつ中央部（１ｂ）とし、シートの下方は上部（１ａ）よりも両側横方向にさらに広くした山をもつ下部（１ｃ）とする。
（ロ）シート（１）の中央に伸縮自在の凹部（３）を設ける。
（ハ）シート（１）の凹部（３）を除いて冷却剤（２）を塗布する。
（ニ）綿や不織布からなる吸収材（４）を凹部（３）に装着する。
（ホ）シート（１）の冷却剤（２）を塗布した粘着面（５）と吸収材（４）を剥離紙（６）で覆う。
本発明は以上の構成よりなっている。
本発明を使用するときは、最初に中央部（１ｂ）をワキの下の汗腺密集部に貼り付け位置を確認したのち、上部（１ａ）を上腕部付け根に、下部（１ｃ）を胸側部から肩甲骨下にかけて様々な動きに対応できるよう、密着させながら貼り付ける。本発明は下部（１ｃ）を広くしたために肌に接する面積が大きくなるので、従来の長方形、または方形状のものよりも剥がれにくい。
【図面の簡単な説明】
【０００７】
【図１】本発明の平面図
【図２】本発明の断面図
【図３】本発明の分解斜視図
【図４】本発明の断面図
【図５】本発明の使用状態を示す斜視図
【符号の説明】
【０００８】    １  シート
２  冷却剤
３  凹部
４  吸収材
５  粘着面
６  剥離紙
【図１】
2008255543.tif 000003
【図２】
2008255543.tif 000004
【図３】
2008255543.tif 000005
【図４】
2008255543.tif 000006
【図５】
2008255543.tif 000007
(57)【要約】      （修正有）【課題】保冷（温）剤を使用して、肩から首にかけて、しっかりと冷やす（温める）ことができ、また、見た目にもおしゃれになり、装着したまま外出もできるようにする。【解決手段】セーラーカラー型肩掛けの背中部分の裏側に、保冷（温）剤を入れるための、冷気（または熱）をやわらげるためのクッション、保冷剤を使用した場合の水滴を吸収するシート（または布）と防水シート（または布を施したポケットを設け、肩掛けの前部には、保冷（温）剤の重さで肩掛けが後ろにずれないように、止め具を設けた。【選択図】図１
2008255545.tif 000002
【特許請求の範囲】
【請求項１】
セーラーカラー型肩掛けの背中部分の裏側に、冷気（または熱）をやわらげるためのクッション、保冷剤を使用した場合の水滴を吸収するシート（または布）と防水シート（または布）を施したポケットを設けた。
【請求項２】
保冷（温）剤の重さで肩掛けが後ろにずれないように、肩掛けの前部に止め具を設けた。
【請求項３】
保冷（温）剤が体に沿って曲がるように、保冷（温）剤に仕切りを設けた。
【発明の詳細な説明】
【技術分野】
【０００１】  この発明は、保冷（温）剤が入ったポケットを背中部分の裏側に設けたセーラーカラー型の肩掛けに関するものである。
【背景技術】
【０００２】  従来、保温（温）剤は衣類に貼るか、ポケットや細長の布等に入れて使用するものしか考案されていなかった。
【発明の開示】
【発明が解決しようとする課題】
【０００３】  これは、次のような欠点があった。
従来、保温（温）剤は衣類に貼るものか、または衣類のポケットや細長の肩掛け等に入れて使用するものしか考案されていなかった。そのため、特に夏など薄着になる場合は、貼る場所もポケットもなく使用しにくかった。また、肩から首にかけて冷やす（温める）ことは体温調節に効果的であるのに、細長の布等に入れたのでは、体と肩掛けの間に隙間ができ、体にフィットしなかった。
【課題を解決するための手段】
【０００４】  セーラーカラー型肩掛け（１）の背中部分の裏側に、保冷（温）剤（２）を入れるための、冷気と熱をやわらげるためのクッション（３）、保冷剤を使用した場合の水滴を吸収するシート（または布）（４）と防水シート（または布）（５）を施したポケット（６）を設けた。肩掛けの前部には、保冷（温）剤（２）の重さで肩掛けが後ろにずれないように、止め具（７）を設けた。ポケット（６）の中に入れる保冷（温）剤（２）は、体との間に隙間なくにフィットするように、仕切り（８）をつけて曲がるようにした。
本発明は、以上の構成によりなる、保冷（温）剤入りセーラーカラー型肩掛けである。
【発明の効果】
【０００５】保冷（温）剤を使用して、肩から首にかけて、しっかりと冷やす（温める）ことができ、また、見た目にもおしゃれになり、装着したまま外出もできるようになる。
【発明を実施するための最良の形態】
【０００６】以下、本発明を実施するための最良の形態について説明する。
セーラーカラー型肩掛け（１）の背中部分の裏側に、保冷（温）剤（２）を入れるための、冷気と熱をやわらげるためのクッション（３）、保冷剤を使用した場合の水滴を吸収するシート（または布）（４）と防水シート（または布）（５）を施したポケット（６）を設けた。肩掛けの前部には、保冷（温）剤（２）の重さで肩掛けが後ろにずれないように、止め具（７）を設けた。ポケット（６）の中に入れる保冷（温）剤（２）は、体との間に隙間なくにフィットするように、仕切り（８）をつけて曲がるようにした。
これを使用するときは、冷却した保冷剤（または温めた保温剤）をセーラーカラー型肩掛けのポケットに入れて、肩掛けを肩に掛け、止め具で衣類に止めればよい。
【図面の簡単な説明】
【０００７】
【図１】  本発明の斜視図である
【図２】  本発明の平面図である
【図３】  本発明の底面図である
【図４】  本発明の断面図である
【符号の説明】
【０００８】１  セーラーカラー型肩掛け
２  保冷（温）剤
３  冷気（または熱）をやわらげるためのクッション
４  水滴吸収シート（または布）
５  防水シート（または布）
６  ポケット
７  止め具
８  仕切り
【図１】
2008255545.tif 000003
【図２】
2008255545.tif 000004
【図３】
2008255545.tif 000005
【図４】
2008255545.tif 000006
(57)【要約】【課題】よだれが出る度に取り替えるという面倒な手間を解消するために簡単に前掛けを取り外し、予備用の前掛けに取り替えれるよだれかけを提供する。【解決手段】下布地（食事用エプロン）を赤ちゃんの体に固定するだけで、簡単に取り替える事が出来る手間のないよだれかけにした。【選択図】図１
2008255542.tif 000002
【特許請求の範囲】
【請求項１】
取り外しが出来るよだれかけと食事用エプロン
【請求項２】
下布地をよだれが衣服に染み込まないビニール系の生地にし、食事用エプロンとしても使用出来る。上布地はよだれを吸収するタオル生地にした、取り外しが出来る前掛け。この前掛けは同じ型の前掛けを予備として数枚作る。
【請求項３】
下布地（食事用エプロン）に図１にマジックテープを付け、前掛けを取り外しが出来るようにしたよだれかけ。
また、取り外す際によだれかけが動かないように下布地（食事用エプロン）に腰紐を付けた。
【請求項４】
下布地（食事用エプロン）の特徴は首の後ろに回す部分を動物の耳や角に捉えた。
前掛けはそれぞれ動物の顔の表情にし、この顔の部分を取り外す様にした。前掛けを取り替えるごとに、表情の違う顔（笑ってる顔、喜んでる顔、寝てる顔等）になるおもしろいよだれかけ。
【発明の詳細な説明】
【技術分野】
【０００１】本発明は、よだれかけが汚れる事に取り替えるという面倒な手間を解消するたに簡単に前掛けを取り外し、予備用の前掛けを取り替えれるよだれかけにした。
【背景技術】
【０００２】従来は首の後ろに回す紐の部分と前掛けが一体化したよだれかけ。
【発明の開示】
【発明が解決しようとする課題】
【０００３】乳幼児のよだれはすごく、１日だけでも数十枚のよだれかけを必要とする場合があります。よだれかけが濡れるたびに、首の後ろに手を回したり、首の座っていない赤ちゃんの頭を持ち上げて、次のよだれかけに取り替えるという手間が大変です。しかし本発明は、この課題を解消するためになされたものである。
【課題を解決するための手段】
【０００４】本発明は取り外しよだれかけと食事用エプロンになっており、下布地（食事用エプロン）を赤ちゃんの体に固定するだけで、予備用の前掛け数枚で汚れたら取り替える事が出来る手間のないよだれかけにした。
【発明の効果】
【０００５】この取り外しよだれかけと食事用エプロンによって、今まで取り替えるという面倒な手間を省くことで親自身が楽になり、どこにいてもすぐに取り替える事ができる、従来のよだれかけにはなかった機能性あるよだれかけです。
【発明を実施するための最良の形態】
【０００６】  本発明の実施の形態について説明する。
（イ）．下布地（食事用エプロン）１にマジックテープを付ける。
（ロ）．上布地（前掛け）２の裏にもそれぞれマジックテープを付け、取り外しが出来る、取り替え用のよだれかけである。
発明は、以上のような構造でこれを使用するときは、下布地（食事用エプロン）を乳幼児の首の後ろで留め、マジックテープの部分に前掛けを取り付けて、汚れたら次の前掛けに取り替える。
【図面の簡単な説明】
【０００７】
【図１】  本発明の斜視図
【０００８】
【図２】  本発明の使用斜視図
【符号の説明】
【０００９】１  食事用エプロン
２  マジックテープ
３  腰紐
４  ポケット
５  前掛け
【図１】
2008255542.tif 000003
【図２】
2008255542.tif 000004
(57)【要約】【課題】作業用手袋を着けたまま貼り付け伝票をはがす際、はがしやすいように、手袋の親指の先につけ爪を設けた爪付き手袋を提供する。【解決手段】作業用手袋（１）の親指の先につけ爪（２）を設け、爪の根元にあて布を設けた爪付き手袋を特徴とする。【選択図】図１
2008255546.tif 000002
【特許請求の範囲】
【請求項１】
手袋（１）の指先の部分につけ爪（２）を設けた爪付き手袋。
【発明の詳細な説明】
【技術分野】
【０００１】この発明は作業用手袋の指先につけ爪を設けた爪つき手袋に関するものである。
【背景技術】
【０００２】従来作業用手袋の指先には爪の様な引っかかる物はついていなかった、着用したまま貼り付け伝票などをはがす作業をするには手袋の先をきった、指を出せる物を使用するしかなかった。
【発明の開示】
【発明が解決しようとする課題】
【０００３】これには次のような欠点があった。従来、作業用手袋を着用したままでは貼り付け伝票などをはがすのは難しかった。先の切れたタイプの物では冬季の作業事、指がかじかみ、ひび割れたり怪我をする心配があった。
本発明は以上のような欠点をなくすためになされたものである。
【課題を解決するための手段】
【０００４】作業用手袋（１）の指先に、つけ爪（２）を設け、つけ爪（２）の根元にあて布（３）を設ける。
本発明は、以上の構成より成る爪つき手袋である。
【発明の効果】
【０００５】作業用手袋の指先につけ爪が付いているので、貼り付け伝票をつけ爪でこすり、はがす事が出来る、指全体が手袋でおおわれているので防寒にも優れ、指先を怪我する心配も少なくなる。
実際の爪の様に付いているので作業に使うのに何らさしつかえない。
【発明を実施するための最良の形態】
【０００６】以下、本発明を実施するための最良の形態について説明する。
作業用手袋（１）の親指の先に接着剤で接着しつけ爪を設ける。
つけ爪の根の部分の端に小さく切ったあて布を貼り付け根元を保護する。
本発明は以上のような構造である。
これを使用するときは、手に手袋を装着し爪で貼り付け伝票をはがし荷物の積み込みを行えばよい。
他の爪のつけ場所として、人差し指など他の指もしくはすべての指につけ爪を設けた爪付き手袋。
【図面の簡単な説明】
【０００７】図１    本発明の斜視図である。
図２    本発明の断面図である。
【符号の説明】
【０００８】１    手袋
２    つけ爪
３    あて布
【図１】
2008255546.tif 000003
【図２】
2008255546.tif 000004
(57)【要約】      （修正有）【課題】強風時でも風に飛ばされず又不要のときはファショナブルに使用できる布製帽子を提供する。【解決手段】布帽子に布あごリボン２を付け強風時にあご下に止める。左側に雄の面ファスナーをつけその先端に雌の面ファスナーを取り付け布あごリボンのあご下部分、表に作り付け結びリボンをつける。右側布あごリボンの先端にも雌面ファスナーを付け強風時は右と左の雌雄の面ファスナーを顎下で結合する。不用の時は、両側の布あごリボンを頭上の雄面ファスナーに止めておく。【選択図】図１
2008255547.tif 000002
【特許請求の範囲】
（１）（イ）布製帽子（１）に、布リボン（２）を、両耳の後側につける。
（ロ）適度の長さの布リボン（２）の左側先端に作付リボン（３）をつける。作付リボンの裏側、にマジックテープ（＋）（４）をつけ、その先端にマジックテープ（−）（５）をつけておく。
（ハ）布帽子の内側頭上にマジックテープ（＋）（４）を長めにつけ不用時は、布リボンの先端を止めておく。
（ニ）頭囲布リボンの前中心に穴開き金属ナット６を打って飾る。頭囲後リボンに金属ナットは打たない。
軽量にする為である。布リボン付根両耳後に付ける。
以上の様に構成された、強風よけ帽
（２）布製の帽子に布リボンあごひもを付けて
2008255547.tif 000003
【発明の詳細な説明】
【発明の詳細な説明】
（Ａ）本案は布製帽子に、布リボンのあごひもをつけ、強風時に、帽子が飛ばされない様に固定して使用出来るものである。
又、結付作りリボンと金属穴あきナットは（６）使用時に軽快感をもたらす。
（Ｂ）従来の技術
従来の帽子は、あごひもが有っても、ゴムが多く、すぐ弾力が無くなり、付替えも長さ、手縫い等の点でわずらわしく不便であった。
（Ｃ）発明が解決しようとする問題点
職業婦人等、主婦、一搬の婦人、学生達に付替えのわずらわしさを解消し、又、おしゃれで軽快に楽しく仕事や、日日を過せたらと云う使用者の多数の要望に答える為に発明されたものである。
（Ｄ）問題を解決する為の手段
その構成を説明すると
（イ）布帽子の両耳後上内側部分に布リボンをつける。
（ロ）布リボン左あご中心、に作付布リボン（３）をつける。
そのすぐ裏側にマジックテープ（＋）（４）適端をつけ、その先に、マジックテープ（−）（５）をつけておく。
右側布あごリボンの先端にマジックテープ（−）（５）をつける。マジックテープは長めにつける事でサイズの調整が出来る。
作付結リボンは、その都度、結ぶ手間をはぶく。
（ハ）布帽子の内面頭上に、マジックテープ（＋）（４）を付け、サイズの調製に役立てる（長めにつける）
あご布リボン不用時に内面頭上のマジックテープ（＋）（４）にマジックテープ（−）（５）を固定させ収納する。
（Ｅ）発明の効果
本発明の効果を述べると、通勤、通学、外交、ショッピング、急用事に、強風に帽子がとばされ、車道、河川、田畑、どぶ、その他に吹きとばされて、紛失、汚泥等で使用出来なくなるのを防ぐものである。又、作付布結びリボンと、前面頭囲の布リボンに付けた適端大の金属穴あきナット（６）は５個つける事により、おしゃれと、軽快さを楽しむ事が出来る。
（Ｆ）
過去に於てリボン等は、その都度結ぶわずらわしさが有り、又、ゴムひも等は、すぐのび易く、付替等サイズ合わせ、手縫い等手間がかかった。布帽子の内面頭上にマジックテープ（＋）を長めにつける事により、あご布リボンを使用しない時は、布あごリボンの右先端と、左先端を、布帽子内面頭上につけておいたマジックテープ（＋）（４）に左、右のあごひもリボンの先端を固定させ、軽便にする事が出来る。
マジックテープ（＋）、（−）、を使用する事により操作を簡単にする。従来の金属ナット等、飾りは大きく重かった。これを小さく穴あきにして５個と定めれば、軽量になり使用も軽便になる。
【図面の簡単な説明】
【図１】は本発明の正面図布帽子頭
【図２】は内面のマジックテープの位置
【図３】は本発明の実施例（リボン付、マジックテープ）
【符号の説明】
第１図の実施個所の説明
１  は布帽子
２  は布あごリボン
３  は結作付リボン
４  はマジックテープ（＋）
５  はマジックテープ（−）
６  は穴あき金属ナット
７  つば
【図１】
2008255547.tif 000004
【図２】
2008255547.tif 000005
【図３】
2008255547.tif 000006
【手続補正書】
【提出日】平成19年6月19日(2007.6.19)
【手続補正１】
【補正対象書類名】明細書
【補正の内容】
2008255547.tif 000007
2008255547.tif 000008
【手続補正書】
【提出日】平成19年11月19日(2007.11.19)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
（１）（イ）布帽子（１）に布リボン（２）を両耳の後側につける。
（ロ）適度の長さの布リボン（２）の左側先端に作り付け結びリボン（３）をつける。作り付け結びリボンの裏側に、マジックテープ（＋）（４）をつけその先端にマジックテープ（−）（５）をつけておく。右側リボンの先にマジックテープ（−）５をつけ左リボン（＋）に止める、
（ハ）布帽子の内側頭上にマジックテープ（＋）（４）を長めにつけ．不用時は布リボンの両先端を止めておく。
以上の様に構成された「強風よけ帽」
布製の帽子に布あごリボンをつけ．その先端と頭上内側にマジックテープで不用時は止めておく。
（２）特許請求範囲  第１項記載の強風よけ帽
(57)【要約】      （修正有）【課題】美しい歩行姿勢を意識して歩くという動作において、歩くための筋肉が無意識に鍛えられ、そのことによって自然な美しい歩行姿勢の体得及び恒久的な体型の変化をも、もたらすことのできる歩行用ガードルを提供する。【解決手段】伸縮性を有する本体部１にあって、膝の内側から斜め上方に走る縫工筋に沿い、骨盤の上前腸骨棘の外側を回り込み背面の腰椎に至る、本体部より強い緊締力を有する帯状部２を設ける構成とする。【選択図】図１
2008255544.tif 000002
【特許請求の範囲】
【請求項１】
伸縮性を有する本体部にあって、膝の内側から斜め上方に走る縫工筋に沿い、骨盤の上前腸骨棘の外側を回り込み背面の腰椎に至る、前記本体部より強い緊締力を有する帯状部を設けることを特徴とする歩行用ガードル。
【発明の詳細な説明】
【技術分野】
【０００１】本発明は、歩行用のガードルに関するものである。
【背景技術】
【０００２】ガードルでは体型補正用のガードルが良く知られているが、これは着用中に余分な肉をガードルに押し込むことで一時的にスタイルを良く見せようとするもので、着用によって恒久的に体型を変えるものではない。【０００３】恒久的に体型を変えることを目的としたものとして大腰筋強化スパッツなるものが考案されている（特許文献１）。しかし大腰筋は大腿部を持ち上げたり、上体を引き上げることに寄与する筋肉であり、スポーツ選手以外では日常的な所作において、このような筋肉を動かすことはほとんど無い。
【特許文献１】特開２００６−８９８５６
【０００４】また、通常の歩行時に着用するインナーボトムも考案されている（特許文献２）。これは歩行時の腰の捻りを大きくして、これに伴う腹筋群を鍛えようとするものである。しかし、腰を捻って歩くというのは歩行姿勢としては美しいものではない。確かに筋肉を動かすことによってシェイプアップの効果はあるかもしれないが、美しく見られたいという心理からすれば本末転倒に思える。
【特許文献２】特開２００６−３２８６０２
【０００５】歩く動作というのは、地面を後方に蹴り出す運動であって、それによって蹴り出された脚が地面を離れ、反動で振り子のように前に向かうことによって前に進むのである。したがって腰は捻れず、上下運動もせず、水平に真っ直ぐ進む。これが美しい歩行姿勢である。
【発明の開示】
【発明が解決しようとする課題】
【０００６】本発明の技術的課題は、前述の問題を解決するため、美しい歩行姿勢を意識して歩くという動作において、歩くための筋肉が無意識に鍛えられ、そのことによって自然な美しい歩行姿勢の体得及び恒久的な体型の変化をも、もたらすことのできる歩行用ガードルを提供することである。
【課題を解決するための手段】
【０００７】前記課題を解決するため本発明は、伸縮性を有する本体部にあって、膝の内側から斜め上方に走る縫工筋に沿い、骨盤の上前腸骨棘の外側を回り込み背面の腰椎に至る、前記本体部より強い緊締力を有する帯状部を設けた歩行用ガードルとする。
【発明の効果】
【０００８】上述した構成のガードルを着用し、美しい歩行姿勢を意識して歩くという動作において、歩くための筋肉が無意識に鍛えられ、そのことによって自然な美しい歩行姿勢の体得及び恒久的な体型の変化をも、もたらすことができるという効果がある。
【発明を実施するための最良の実施の形態】
【０００９】本発明品は、伸縮性を有する本体部にあって、膝の内側から斜め上方に走る縫工筋に沿い、骨盤の上前腸骨棘の外側を回り込み背面の腰椎に至る、前記本体部より強い緊締力を有する帯状部を設ける構成とする。
【実施例】
【００１０】本発明品の実施の形態を図１〜図３に基づいて説明する。図１は本発明品のガードルを正面側から見た斜視図。図２は本発明品のガードルを背面側から見た斜視図。図３本発明品のガードルの作用を説明するための図である。【００１１】本発明品は、図１〜図２に示すように、伸縮性を有する本体部１にあって、膝の内側から斜め上方に走る縫工筋に沿い、骨盤の上前腸骨棘（臍のやや下）の外側を回り込み背面の腰椎に至る、前記本体部より強い緊締力を有する帯状部２を設けている。【００１２】図３に示すように、歩く動作は、地面を後方に蹴り出すことよって、蹴り出された脚が地面を離れ、反動で振り子のように前に向かうことによって前に進む。この後方への強い蹴り出しに使われる筋肉群に、強い緊締力を有する帯状部２により大きな負荷がかかると、負荷に対抗する反射的な筋肉の作用により筋繊維が傷つき、その超回復といわれる生体メカニズムにより筋繊維が増大し、結果、筋肉群が鍛えられるわけである。
【図面の簡単な説明】
【図１】発明品のガードルを正面側から見た斜視図。
【図２】発明品のガードルを背面側から見た斜視図。
【図３】発明品のガードルの作用を説明するための図。
【符号の説明】
１  ガードル本体部
２  強い緊締力を有する帯状部
【図１】
2008255544.tif 000003
【図２】
2008255544.tif 000004
【図３】
2008255544.tif 000005
(57)【要約】【課題】  強風の時や前かがみになったときにマフラーが乱れたりして、掛け直したり、結び直したりしていた煩わしさと、同じくマフラーが乱れたり、ずれたりして暖かさについても十分ではなかったことを解消するマフラーを提供する。【解決手段】  ビニールチューブ（１）に折り曲げ可能な軸（２）としての長い形状の物を通し布で被せる形でマフラー（３）に縫い付ける。尚、ビニールチューブの両端は加工して穴をふさいだことを特徴とする。【選択図】図１
2008255541.tif 000002
【特許請求の範囲】
【請求項１】
ビニールチューブ（１）に折り曲げ可能な軸（２）としての長い形状のものを通し、布で被せる形でマフラー（３）に縫い付ける。尚、ビニールチューブの両端は加工して穴をふさぐ。以上の構成よりなる軸を入れた巻き心地の良いマフラー。
【発明の詳細な説明】
【技術分野】
【０００１】この発明は、ビニールチューブに好きなように折り曲げたり、ねじることが可能な軸としての長い形状のものを通し布で被せる形でマフラーに縫い付ける。尚、ビニールチューブにより軸の錆防止とマフラーを巻いたときの安全面からも安心できる軸を入れた巻き心地の良いマフラーに関するものである。
【背景技術】
【０００２】従来のマフラーは、巻き付けたときの形が保たれなかった。又、結んだり、安全ピンで留めたりしないと、風で乱れたり、前かがみになったときにずれを生じて、巻き心地が悪かった。結ぶと短くなり、巻きつけたときの形が保たれないため暖かさについても十分ではなかった。
【発明の開示】
【発明が解決しようとする課題】
【０００３】これは次のような欠点があった。
従来は強風の時や、前かがみになった時にマフラーが乱れたり、ずれたりして、手で肩へ掛け直したり、結び直したりしていた。これは、きわめて煩わしかった。又、マフラーが乱れたり、ずれたりして暖かさについても十分ではなかった。
本発明は、以上のような欠点をなくすためになされたものである。
【課題を解決するための手段】
【０００４】ビニールチューブ（１）に折り曲げ可能な軸（２）としての長い形状のものを通し布で被せる形でマフラー（３）に縫い付ける。尚、ビニールチューブの両端は加工して穴をふさぐ。
本発明は、以上の構成よりなる軸を入れた巻き心地の良いマフラーである。
【発明の効果】
【０００５】マフラーに軸を縫い付けることによって、一定の形が保たれ、巻き心地が良くなり、首周りも、しっかり覆えるようになり、暖かさの点も改良され、掛け直す煩わしさが数段減る。尚、どんな形のマフラーでも、いろいろな形作りをして、しっかり巻くことができ、そのときの巻き心地がフィットする感覚が楽しい。マフラーをはずし、ロッカー等に掛ける場所でもずれ落ちないように掛けることができる。又、自転車に乗るときもマフラーが気にならず安全である。
【発明を実施するための最良の形態】
【０００６】以下、本発明を実施するための最良の形態について説明する。
ビニールチューブ（１）に折り曲げ可能な軸（２）としての長い形状のものを通し布で被せる形でマフラー（３）に縫い付ける。尚、ビニールチューブの両端は加工して穴をふさぐ。
本発明は、以上のような構造で、これを使用する時は、今まで通り、好きなように、形作り巻く。
【図面の簡単な説明】
【０００７】
【図１】  本発明の分解図である。
【図２】  本発明の完成図である。
【符号の説明】
【０００８】  １  折り曲げ可能なビニールチューブ
２  折り曲げ可能な軸
３  マフラー
【図１】
2008255541.tif 000003
【図２】
2008255541.tif 000004
(57)【要約】  【目的】本エンジンは水平八気筒対向クランクレスレシプロエンジンとして総長は短く総高が低く、ピストン運動の慣性エネルギーを相殺し振動が少なくピストンおよびシリンダの側圧磨耗がない、しかも動力伝達効率も改善され自動車向けの最適なエンジンとした。  【構成】本発明は直線往復運動の支点を有するカルダン歯車機構を応用し、レシプロエンジンおいて二個一対のピストン１を一直線上に連接棒３を介して支点となる補完軸８に連ね、連接棒３がクランク揺動をする事をなくし、並列の四対の水平八気筒構成として内側の二対と外側の二対を全く反対のタイミングに組み上げた対向ピストン１のクランクレスレシプロエンジンである。  【選択図】図２
2008255909.tif 000002
【特許請求の範囲】
【請求項１】
対向ピストンエンジンにおいてピストンの軸芯が一直線上に並ぶ二気筒一対の両ピストンの内側を一連の連接棒でつなぎ、両ピストンの中点を遊星歯車のピッチ円上の一点で往復直線運動をする支点を有するカルダン歯車機構を採用し、その支点に軸受け嵌合させてピストンの往復運動を直接回転運動に変換する、言わば連接棒がクランク運動をしない対向エンジン。
【請求項２】
ピストンの軸芯が一直線上に並ぶ二気筒一対の対向エンジンを並列に4対を配置して８気筒に構成し、内側の２セットと外側の2セット全く反対のピストン運動させることによりピストンの慣性エネルギーを相殺させ振動を最小限とした８気筒の対向エンジン。
【発明の詳細な説明】
【技術分野】
【０００１】
本発明はレシプロエンジンにおいてクランク機構を用いる事なくピストン運動を直接回転運動に変換し効率よくピストンの動力を伝達するものである。
【０００２】
本発明はレシプロエンジンのピストンを２個一対として一直線上に対向配置することにより小型化を可能にするものである。
【背景技術】
【０００３】
現用のレシプロエンジンはクランク機構を介してピストン運動を回転運動に変換している。
【０００４】
現用のレシプロエンジンはクランク機構を採用しているので内側クランクの水平対向エンジンにおいてはピストンが２個一対として一直線に並べる事ができず、ピストンはちどり配置になっており本案より大型である。
【特許文献１】特許出願平７−５９６２０
【特許文献２】特許出願平２００１−３７１６０
【発明の開示】
【発明が解決しようとする課題】
【０００５】
クランク式レシプロエンジンは連接棒が揺動運動をするためピストンの押し圧方向に対する連接棒の傾きに相応しピストンの押し圧の分力がはからずもピストン側面にかかりシリンダとの摩擦による動力損失を生じ、ひいてはピストンおよびシリンダの磨耗要因となっている。
【０００６】
内側クランク式対向レシプロエンジンは構造上二個のピストンを同一軸心上に対向して配置し構成を小型化することが難しい。
【０００７】
クランク式レシプロエンジンはピストン運動の慣性エネルギーによる振動を消すために動力伝達機能以外のバランスウエイトを必要としている。
【発明の効果】
【０００８】
クランクがないのでピストンの押し圧力の分力がピストンの側面にかからずその摩擦による動力損失とピストンおよびシリンダの磨耗がない。
【０００９】
一対のピストンが一直線上に並ぶ対向エンジンであるので小型化が図れる。
【００１０】
水平対向エンジンとして使用すればエンジンの高さを低くする事ができ自動車の場合重心を低く抑えられカーブ走行の水平安定性が良い。
【００１１】
ピストンの軸芯が一直線上に並ぶ二気筒一対の対向エンジンを並列に4セット配置して８気筒に構成し、内側の２セットと外側の2セットを全く反対のピストン運動させることによりピストンの慣性エネルギーを相殺させ、その振動を抑えることができバランスウエイトを必要としない。
【発明を実施するための最良の形態】
【００１２】
エンジンの形態においてエンジンヘッド部は請求範囲外なので省略し説明する。
【００１３】
往復運動を直接回転運動に変換する原理。
機構学上知られているカルダンの往復直線運動の原理によるもので固定された内歯歯車６に直径半分の遊星歯車７を噛み合わせ遊星運動をさせると、遊星歯車７のピッチ円上の支点となる補完軸８の中心は往復直線運動をする。この原理を逆に利用しピストン１の往復運動を直接回転運動に変換するものである。
【００１４】
二個のピストン１を一直線上の対向させる構造。
相対するシリンダ10に嵌合する二個のピストン１はその中心を一直線上に並べ、それぞれピストン１の外側を燃焼室側とし、内側はピストンピン２および連接棒３、ハウジングピン１１および補完ハウジング９を介して補完軸８に嵌合し連結させて構成する。この二種類のピストンピン2およびハウジングピン１１は往復直線運動をする補完軸８とピストン１の運動中心の誤差を吸収して、こじりのない滑らかな運動を伝達するための構造である。
【００１５】
二気筒一対のエンジンを二対の四気筒ユニットに構成する構造。
センタ歯車４を両側で軸受けしてその外側に各一個の遊星歯車７がセンタ歯車の軸心に対し全く反対位置に変心して転動できるよう保持させて、それぞれの遊星歯車７には遊星歯車７のピッチ円上に中心を持ち往復直線運動をする支点となる補完軸８を一体化する。この二個の補完軸8に二個一対のピストン１の連接棒３に連なる補完ハウジング９をそれぞれ嵌合することにより二気筒一対のエンジンを二対にして四気筒のユニットエンジンに構成する。
【００１６】
四気筒のユニットエンジンを八気筒エンジンに構成する構造。
四気筒ユニットのエンジンを直列に二個並べ八気筒エンジに構成する。その際出力軸１２に固着された二個の連結歯車5は四気筒のユニットエンジンに備わったセンタ歯車4と噛み合わせるが、そのタイミングが内側四気筒と外側四気筒が慣性エネルギーを相殺するよう正反対に組み上げて構成する。出力軸１２はエンジンの動力出力であって用途にもよるが自動車の場合はこのあとフライホイール、クラッチなどに連結する事が出来る。
【図面の簡単な説明】
【００１７】
【図１】平面断面図
【図２】側面断面図
【図３】機構図
【符号の説明】
【００１８】
1：ピストン、２：ピストンピン、３：連接棒、４：センタ歯車、５：連結歯車、６：内歯歯車、７：遊星歯車、８：補完軸、９：補完ハウジング、１０：シリンダ、１１：ハウジングピン、１２：出力軸
【００１９】
実施図
【図１】
2008255909.tif 000003
【図２】
2008255909.tif 000004
【図３】
2008255909.tif 000005
(57)【要約】      （修正有）【課題】人や車の移動を利用した発電機を提供する。【解決手段】歩道や車道の下に、通行により生ずる重さの変化を利用した発電機を設置る。構造は踏み板１に歯の付いたシャフト２が固定されており、その歯にギア４が噛み合いギア４のシャフト５はラチェット機構６を介してフライホイル７そして発電機８に繋がっている。従って人が踏み板を踏むと発電機が回り、人が通り過ぎるとバネにより踏み板は元に戻る、人が通る度にこの動作が繰り返され発電される構造となっている。車が通る場合も同様に発電される。この発電機構を歩道や道路の下に１台以上敷き詰め、その上に鉄板やゴムシートを敷いて、路面の凹凸をなくして人や車が通り易いようにすると良い。また発電機は整流器及びレギュレータを通してバッテリーに繋がり蓄電されるここで蓄えられた電気は照明やその他の電気機器の電源として利用できる。【選択図】図１
2008255978.tif 000002
【特許請求の範囲】
【請求項１】
踏み板に歯の付いたシャフトが固着されており、その下にバネが取り付けてある。シャフトの歯にギアが噛み合うようになっておりギアのシャフトはラチェット機構を介してフライホイルそして発電機に繋がっている。この発電機構を歩道や道路の下に敷設し、その上に鉄板やゴムシートを敷いて、路面の凹凸をなくして人や車が通り易いようにする。人や車の移動により生ずる重さの変化を利用した発電システム。
【請求項２】
踏み板にシャフトが固着されており、シャフトには永久磁石が取り付けてある。そしてその下にバネを取り付ける。永久磁石の外側には筒状のコイルが配置してあり、踏み板を踏むと磁石がコイルの中を動く為コイルの起電力で発電するようになっている。また逆にコイルをシャフトに取り付けて動かし磁石は固定するようにしてもよい。この発電機構を請求項１のように歩道や道路の下に取り付けた発電システム。
【発明の詳細な説明】
【技術分野】
【０００１】  本発明は、環境破壊を少なくするため自然のエネルギーを使った発電機に関する
【背景技術】
【０００２】  今まで自然のエネルギーを利用した発電は水力や風力、そして太陽光を使った物はあるまた自転車でペダルを漕いで発電機を廻してライトを点けるような人力を利用した物もある
【発明の開示】
【発明が解決しようとする課題】
【０００３】  人や車の移動を利用した発電機は無かった
【課題を解決するための手段】
【０００４】  上記目的を達成するためには、歩道や車道の下に、人や車の通行により生ずる重さの変化を利用した発電機を設置すれば良い。【０００５】  構造は踏み板に歯の付いたシャフトが固着されており、その下にバネが取り付けてある。シャフトの歯にギアが噛み合うようになっておりギアのシャフトはラチェット機構を介してフライホイルそして発電機に繋がっている。従って人が踏み板を踏むと発電機が回り人が通り過ぎるとバネにより踏み板は元に戻る。人が通る度にこの動作が繰り返され発電される構造となっている。車が通る場合も同様に発電される。【０００６】  またラチェット機構とフライホイルは、発電機の構造及び回路により必要としない場合もある。【０００７】  請求項２は発電機の代わりにコイルを使った物である。構造は踏み板にシャフトが固着されており、そのシャフトに永久磁石が取り付けてありその下にバネを固着する。永久磁石の外側には筒状のコイルが配置してあり踏み板を踏むとコイルの起電力で発電する、人が通り過ぎるとバネにより踏み板は元に戻る、人が通る度にこの動作が繰り返され発電される構造となっている。また逆にコイルをシャフトに取り付け共に動かして磁石は固定するようにしてもよい。【０００８】  これらの発電機構を歩道や道路の下に設置し、その上に鉄板やゴムシートを敷いて、路面の凹凸をなくして人や車が通り易いようにする。設置する発電機の数が多いほど発電量も増える。【０００９】  これらの発電機は整流器及びレギュレータを通してバッテリーに繋がり蓄電される。ここで蓄えられた電気は照明やその他の電気機器の電源として利用できる。また整流器は発電機の構造により不要の場合もある。
【発明の効果】
【００１０】  この発電機構を駅構内の通路等に敷設することにより、既存商用電力の大きな節電効果が期待できると共に環境破壊を少なくするのに貢献できる。
【発明を実施するための最良の形態】
【００１１】  以下、本発明の実施の形態を図１〜図４に基づいて説明する。【００１２】  図１に発電機構を示す、１は踏み板でそれに歯の付いたシャフト２が固着されその歯にギア４が噛み合いギアのシャフト５はラチェット機構６を介してフライホイル７そして発電機８に繋がっている。従って人が踏み板１を踏むと発電機８が回り人が通り過ぎるとバネ３により踏み板１は上に戻る。人が通る度にこの動作が繰り返され発電される構造となっている。車が通る場合も同様に発電される。またラチェット機構６により発電機８は決まった方向に回転するようになっているが発電機の構造又は回路に依っては該機構は不要の場合もある。【００１３】  図２に請求項２の発電機構を示す、構造は踏み板９にシャフト１０が固着されており、そのシャフトに永久磁石１１が取り付けてありその下にバネ１３を設置する。永久磁石１１の外側には筒状のコイル１２が配置してあり踏み板９を踏むとコイル１２の中を永久磁石１１が動く為コイルに起電力が発生し発電する。【００１４】  図３は図１又は図２の発電機構を歩道又は道路の下に敷設した図である。コンクリートの基礎部１７の上に発電機構１６が敷設してありその上に鉄板１５及びゴムシート１４を敷き路面の凹凸をなくして人や車が通り易いようになっている。【００１５】  図４に発電機の接続図を示す、発電機は整流器及びレギュレータを通してバッテリーに繋がり蓄電される。ここで蓄えられた電気は照明やその他の電気機器の電源として利用できる。発電機の構造に依っては、整流器が不要の場合もあるが、各発電機間のアイソレーションは必要である。
【図面の簡単な説明】
【００１６】
【図１】  請求項１の実施形態を示す発電機構図
【図２】  請求項２の実施形態を示す発電機構図
【図３】  本発明の実施形態を示す歩道断面図
【図４】  発電機接続図
【符号の説明】
【００１７】  １    踏み板
２    歯の付いたシャフト
３    バネ
４    ギア
５    シャフト
６    ラチェット機構
７    フライホイール
８    発電機
１１    永久磁石
１２    コイル
１４    ゴムシート
１５    鉄板
１６    発電機構
１７    コンクリート基礎部
【図１】
2008255978.tif 000003
【図２】
2008255978.tif 000004
【図３】
2008255978.tif 000005
【図４】
2008255978.tif 000006